【事件の表示】
　特許第２８０６９３７号「面照明装置」の請求項1に係る特許に対する特許異議の申立てについて、次のとおり決定する。
【結　論】
　訂正を認める。
　特許第２８０６９３７号の特許を維持する。
【理　由】
〔１〕手続の経緯
　特許第2806937号の請求項１に係る発明についての出願は、昭和63年３月23日に特許出願され、平成10年７月24日にその発明についての特許権の設定登録がされ、その後、その特許について、異議申立人徳間功、長谷川孝子、株式会社デイスク、中川徹より特許異議の申立てがされ、取消理由通知がされ、その指定期間内である平成11年９月27日に訂正請求がされたものである。
〔２〕訂正の適否についての判断
ア.訂正の内容
　特許権者が求めている訂正の内容は、以下のａ〜ｃのとおりである。
　ａ.特許請求の範囲に記載される「直管状光源（３）とを有し、」を「直管状光源（３）とを有し、該拡散板（２）は該導光板（１）の光出射面（11）に当接する面が粗面をなしており、」と訂正する。
　ｂ.特許請求の範囲に記載される「白色染料」を「白色塗料」と訂正する。
　ｃ.発明の詳細な説明中の特許掲載公報第２欄第７行及び第４欄第20行の「直管状光源とを有し、」を「直管状光源とを有し、該拡散板は該導光板の光出射面に当接する面が粗面をなしており、」と訂正する。
イ.訂正の目的、新規事項の有無及び拡張・変更の存否について
　上記ａの訂正事項に関して、願書に添付した明細書（以下、「特許明細書」という。）第９頁第４〜８行及び第１図には「また光出射面11に当接する面が粗面をなす拡散板２は、光拡散層７において拡散され光出射面11から出射される光や、反射板６によって反射され光出射面11から出射される光を、更に拡散することによって明るさが均一になるように作用する。」と記載されていることから、「拡散板は導光板の光出射面に当接する面が粗面をなして」いることは特許明細書に記載されているものと認める。
　そうすると、上記ａの訂正は、特許請求の範囲の減縮に該当し、かつ、願書に添付した明細書に記載した範囲内においてしたものである。
　上記ｂの訂正事項は、発明の詳細な説明の記載からみても誤記の訂正に該当する。
　上記ｃの訂正事項は、上記ａの訂正事項に伴い発明の詳細な説明の記載を適合させたものである。
　そして、上記いずれの訂正も実質上特許請求の範囲を拡張し、又は変更するものでもない。
ウ.独立特許要件について
　訂正後における特許請求の範囲に記載されている事項により構成される発明は、後述のとおり、特開昭57-128383号公報、実願昭58-168283号（実開昭60-75907号）のマイクロフィルム、実願昭60-29425号（実願昭61-145979号公報）のマイクロフィルムに記載された発明に基づいて当業者が容易に発明をすることができたものとは認められず、また、本件特許の出願の日前の特許出願に係る特願昭62-202057号（特開昭64-45003号）の願書に最初に添付した明細書及び図面に記載された発明と同一とも認められず、その他、特許出願の際独立して特許が受けることができないものであるとする理由を発見しない。
　以上のとおりであるから、上記訂正は、特許法第120条の４第２項及び同条第３項において準用する同法第126条第２〜４項の規定に適合するので、当該訂正を認める。
〔３〕特許異議申立てについての判断
ア.本件発明
　本件発明は、平成11年９月27日付け訂正請求書に添付された訂正明細書の記載からみて、その特許請求の範囲の請求項１に記載された次のとおりのものと認める。
「側面から入射された光を伝播する透明な導光板(１)と、該導光板(１)の両面にそれぞれ当接する拡散板(２)および反射板(６)と、該導光板(１)の側面に沿って配設された直管状光源(３)とを有し、該拡散板(２)は該導光板(１)の光出射面(11)に当接する面が粗面をなしており、白色塗料を塗布している部分と塗布していない部分とが混在してなる光拡散層(７)を、該塗料を塗布している部分の面積が該光源(３)から離れるに従い大きくなるように、かつ、該光源(３)と直交する方向の該塗料を塗布している部分間の隙間が、該光源(３)から離れるに従い小さくなるように、該反射板(６)が当接する該導光板(１)の光拡散面(12)に形成してなることを特徴とする面照明装置。」
イ.申立ての理由の概要および判断
１）徳間功の申立てについて
　特許異議申立人徳間功の申立ての理由は、本件請求項１に係る発明は、甲第１号証（特開昭57-128383号公報、以下「刊行物１」という。）、甲第２号証（実願昭51-23237号（実開昭52-116183号）のマイクロフィルム、以下「刊行物２」という。）に記載された発明に基づいて当業者が容易に発明をすることができたものであるから、特許法第29条第２項の規定に違反するというにあるものと認める。
　ところで、刊行物１には、面照明装置に関して、「この発明は、上記のような従来のものの欠点を除去するためになされたもので、まず第１に光の透過性をもつ透明基板表面に光り強度に応じた光拡散性を分布してもたせることにより、均一発光が得られるものはもとより任意の発光輝度分布を有する面光源装置を提供することを目的としている。第３図(ａ)はこの発明の一実施例を示す構成断面図、第３図(ｃ)はその輝度Ｂの分布図、第３図（ｂ）は拡散度Ｄの分布図で、(６)は透明基板(１)のフラットな前面をおおうようにし設けた紙、合成紙、樹脂製のフィルム等で構成されたシートで、光の一部を透過させる光拡散反射体を構成する。(７)は透明基板(１)のフラットな背面に例えば点状やくしの歯状など印刷部の面積を変化できるパターンで印刷された白色のペイント層、(８)はペイント層(７)に重ねるように設けられた鏡面状態の反射板で例えばアルミ、金などの金属板やメッキ、蒸着などで付けた光沢性をもつ金属膜である。(９)は光源(２)のランプソケットで、プリント基板(10)等の保持具に着脱できる。」（第２頁左下欄第６行〜右下欄第５行）、「次に、この実施例のものの動作について説明する。ランプ光源(２)から出射した光がその一部は直接、他の一部は反射板(４)で反射されて光導入部となる端面(１ｃ)を通って透明基板(１)の中を全反射しながら伝搬して行く。」（第３頁左上欄第４〜８行）、「たとえば、第５図に示すように多数の直径の異なる円形状のパターンを印刷して、その印刷された部分の面積密度を各場所で変えた、すなわち面積密度を場所によって密度変調して全体としては、拡散体(７)の効果が第４図(ａ)と同じとなるようにしたものや、第６図に一部分を示すように同径の円形を多数個配置してその面積密度を場所によって密度変調したり、第７図、第８図に示すように線状のパターンや交差した線状のパターンによっても同様な効果が得られる。これらペイント層(７)と同等な光機能を有する光拡散体を形成する集合部は円形にかぎらず星形、三角形、四角形、多角形等で面積密度を変えられる形状のものであればよい。すなわち数ある拡散性処理の付与方法や透明基板の形状、材質等を特定することや単にランプ光源から離れる程拡散度を高めた処理等によって、本発明の範囲が侵食されるものではない侵蝕されるものではない。」（第３頁左下欄第９行〜右下欄第６行）旨が、第１〜９図とともに記載されている。
　刊行物２には、表示装置に関して、「第６図に示すように各反射部に形成する凹部11の大きさを加減することによっても達成される。なお、凹部11の形成密度を少なくした部分においては、各凹部11による反射光の独立性が高まり、例えば一つの表示文字の中に多数の光点が目立つようになり視認性が不良となる惧れがある。そのような場合には凹部11の面を粗面化し光を拡散反射せしめるようにすれば、各光点の独立性が弱まり視認性が良好となる。」（明細書第８頁第13行〜第９頁第１行）旨が、第１〜10図とともに記載されている。
　そこで、本件請求項１に係る発明と刊行物１に記載された発明を対比すると、刊行物１に記載された発明は、「側面から入射された光を伝播する透明な導光板(１)と、該導光板(１)に拡散板(２)と、該導光板(１)の側面に沿って配設された光源」を有するものであるが、本件請求項１に係る発明の「拡散板(２)は該導光板(１)の光出射面(11)に当接する面が粗面をなしており、白色塗料を塗布している部分と塗布していない部分とが混在してなる光拡散層(７)を、該塗料を塗布している部分の面積が該光源(３)から離れるに従い大きくなるように、かつ、該光源(３)と直交する方向の該塗料を塗布している部分間の隙間が、該光源(３)から離れるに従い小さくなるように、該反射板(６)が当接する該導光板(１)の光拡散面(12)に形成してなる」構成を備えるものではない点で、本件請求項１に係る発明と構成上相違する。  
　また、刊行物２にも、上記構成に関しては記載されていない。
　そして、本件請求項１に係る発明は、上記構成を備えることにより、「明るさの均一化と装置の薄型化を可能にする面照明装置を提供する」という作用効果を奏することができるものである。
　そうすると、本件請求項１に係る発明が、刊行物１、２に記載された発明に基づいて当業者が容易に発明をすることができたものということはできない。
２）長谷川孝子の申立てについて
　特許異議申立人長谷川孝子の申立ての理由は、本件請求項１に係る発明は、甲１号証（特開昭57-128383号公報、上記「刊行物１」と同じ。）、甲２号証（特開昭58-91489号公報、以下「刊行物３」という。）に記載された発明に基づいて当業者が容易に発明をすることができたものであるから、特許法第29条第２項の規定に違反するというにあるものと認める。
　刊行物１の記載及び本件請求項１に係る発明と刊行物１に記載されて発明との対比判断は上述したとおりである。
　次に、刊行物３には、均一照明装置について、「光搬送体の表面に該光搬送体の屈折率とは異なる屈折率の光拡散層を設け、該光拡散層を通して光を放出するようにした照明装置」（第１頁右欄第６〜９行）、「光搬送体11の表面に２液反応型のエポキシ樹脂又はシリコン樹脂を塗布、硬化させることによって、或いは、光搬送体11の上にマスキングフィルムを被せ、スプレー吹き、ガン吹き等によって形成することができる。而して、光源10よりの光は光搬送体11内に導入され、該光搬送体11内を矢印方向に伝搬されていく間に光拡散層12を通して外部へ放出され、照明に供されるが、その場合、光源10に近い部分では光束密度が高く、光源から遠ざかるにつれて低くなるので、必然的に、光源から遠い方の部分での光放出量が減少して均一照明を行うことができない。」（第２頁左下欄第８〜19行）、「光拡散層の厚みを一定にする代わり、その配設密度を光源10に近い方では粗く、光源から遠ざかるにつれて密にするようにし、もって、結果的に均一照明となるようにしたものである。」（第２頁右下欄第13〜16行）、「構造が簡単で機械的に堅牢で、しかも、安価な均一照明を提供することができる。」（第３頁左欄第12、13行）旨が、第１〜６図とともに記載されているが、本件請求項１に係る発明の「拡散板(２)は該導光板(１)の光出射面(11)に当接する面が粗面をなしており、白色塗料を塗布している部分と塗布していない部分とが混在してなる光拡散層(７)を、該塗料を塗布している部分の面積が該光源(３)から離れるに従い大きくなるように、かつ、該光源(３)と直交する方向の該塗料を塗布している部分間の隙間が、該光源(３)から離れるに従い小さくなるように、該反射板(６)が当接する該導光板(１)の光拡散面(12)に形成してなる」構成に関しては何ら記載がない。
　そして、本件請求項１に係る発明は、上記構成を備えることにより、「明るさの均一化と装置の薄型化を可能にする面照明装置を提供する」という作用効果を奏することができるものと認められる。
　そうすると、本件請求項１に係る発明が、刊行物１、３に記載された発明に基づいて当業者が容易に発明をすることができたものとすることもできない。
３）株式会社デイスクの申立てについて
　特許異議申立人デイスクの申立ての理由は、請求項１に係る発明は、甲第１号証（特開昭57-128383号公報、上記「刊行物１」と同じ。）、甲第２号証（実願昭58-168283号（実開昭60-75907号）のマイクロフィルム、以下「刊行物４」という。）、甲第３号証（実願昭60-29425号（実開昭61-145979号）のマイクロフィルム、以下「刊行物５」という。）に記載された発明に基づいて当業者が容易に発明をすることができたものであり、特許法第29条第２項の規定に違反するというにあると認める。
　刊行物１の記載及び本件請求項１に係る発明と刊行物１に記載された発明との対比判断は上述したとおりである。
　次に、刊行物４には、「導光板に光源からの光を導き、この光を表示板に導いて該表示板の表示部を照明する照明装置において、前記導光板には前記光源と表示部とを結ぶ仮想基準線と直交する方向に所定の間隔をおいて並設された複数個の点刻からなる点刻列が前記仮想基準線方向に複数列並設され、各点刻列の点刻ピッチは一定であるが、各点刻列毎に異なった点刻ピッチを有し、かつ各点刻列の点刻ピッチ同士は等差級数もしくは等比級数の関係を満足し、光源から遠のく点刻ピッチほどピッチが小さくなることを特徴とする照明装置。」（実用新案登録請求の範囲）が第１〜４図とともに記載されている。
　刊行物５には、バックライト装置に関して、「このバックライト板Ａは、その母体に透過率の良好な薄型の例えばアクリル樹脂板等による透明樹脂基板１が用いられている。そしてこの透明樹脂基板１の前後面に、この基板１の光屈折率と異なる光屈折率を持つ例えばフッ素系樹脂等による透光樹脂のコーテイング２、３が施されている。」（第５頁第３〜９行）、「この光反射手段５は、上記透明樹脂基板１の四周に定置される光源６からの距離とその照度に反比例する密度の分布により、ドット形態を公知のスクリーン印刷等により設けられている。」（第５頁第17行〜第６頁第１行）、「前記態様によるバックライト板Ａの四周位置には例えばその辺毎における透明樹脂基板１の周縁に限定した照明光の照射を可能とするように形成された蛍光灯などによる専用の光源６がそれぞれ定置されて（いる）」（第７頁第６〜10行）旨が、第１〜４図とともに記載されている。
　刊行物４に記載された発明は、側面から入射された光を伝播する透明な導光板と該導光板に拡散板と該導光板の側面に沿って配設された光源を有し反射部分間の隙間が光源から離れるに従い小さくなるようにした構成を有するものであり、また、刊行物５に記載された発明は、側面から入射された光を伝播する透明な導光板と該導光板に拡散板と該導光板の側面に沿って配設された直管状光源を有するものであると認められるが、本件請求項１に係る発明の「拡散板(２)は該導光板(１)の光出射面(11)に当接する面が粗面をなしており、白色塗料を塗布している部分と塗布していない部分とが混在してなる光拡散層(７)を、該塗料を塗布している部分の面積が該光源(３)から離れるに従い大きくなるように、該反射板(６)が当接する該導光板(１)の光拡散面(12)に形成してなる」構成を備えるものではない。
　そして、本件請求項１に係る発明は、上記構成を備えることにより、「明るさの均一化と装置の薄型化を可能にする面照明装置を提供する」という作用効果を奏することができるものである。
　そうすると、本件請求項１に係る発明が、刊行物１、４、５に記載された発明に基づいて当業者が容易に発明をすることができたものとすることもできない。
４）中川徹の申立てについて
　特許異議申立人中川徹の申立ての理由は、本件請求項１に係る発明は、本件特許の出願の日前の他の特許出願であって、本件特許の出願後に出願公開された特願昭62-202057号（特開昭64-45003号）の願書に最初に添付した明細書又は図面に記載された発明（以下、「先願発明」という。）と同一であるから、特許法第29条の２の規定に違反するというにあるものと認める。
　ところで、先願発明には、面状照明器具に関して、「本発明は上述の点に鑑みて為されたものであって、その目的とするところは、発光面の輝度が十分に均一化された面状照明器具を提供することにある。」（第２頁右上欄第12〜15行）、「第１図に示すように、箱体10内に、光源となるランプ１と、板状のライトガイド２とが納装される。ランプ１としては、直管状蛍光ランプが用いられており、ライトガイド２の一側面に対向して配設されている。ライトガイド２は、ガラスやアクリル等の透明材料により形成されており、表裏の一面（第１図（ｂ）の上面）が光導出面21、他面が光拡散面22となっている。光導出面21は、滑らかな凸曲面であって、中間部において光拡散面22との距離が最大となり、ランプ１からもっとも離れた位置では光拡散面22との距離が最小となるように設定されている。一方、光拡散面22は、第２図に斜線部で示すように、ランプ１の長手方向に略平行な多数の反射部23を有しており、各反射部23は、印刷等により拡散反射を行うように光拡散面22に密着形成されている。また、隣接する反射部23間は平面状の透過部24となっている。ここで、反射部23は、ランプ１に近いほど幅が狭く、また透過部24の幅が広くなるように形成されている。ランプ１とライトガイド２との位置関係は、ランプ１の放射光のうちライトガイド２に導入されて光拡散面22で反射されていない光束がすべて全反射されるように設定されているのであって、ランプ１からの放射光は少なくとも１回は光拡散面22で反射されない限り、光導出面21から外に取り出せないようになっている。箱体10の一面であって、ライトガイド２の光導出面21に対向する位置には、拡散透過および拡散反射を行なう拡散板３が配設されており、一方、箱体10の内周面であって光拡散面22に対向する面は反射面４となっている。拡散板３は、ライトガイド２と離間して配置しているが、密着配置してもよい。反射面４は、金属面である正反射面、もしくは塗料等による拡散反射面であって、ライトガイド２の光拡散面22のうち透過部24を透過する光束を反射するようになっている。」（第２頁左下欄第18行〜第３頁左上欄第14行）、「ランプ１の近傍では光拡散面22における透過部24の分布密度が高いから、この透過部24で全反射されることによっても、ランプ１の放射光がランプ１から離れた部位まで案内されることになる。一方、ランプ１の近傍では光拡散面22における反射部23の分布密度が小さいから、拡散反射は比較的少なくなるのであり、その結果、光導出面21から取り出される光量はほぼ均一化されることになる。」（第３頁左上欄第18行〜第３頁右上欄第６行）、「以上のようにして、ライトガイド２に形成された反射部23の分布密度を変えることにより全体の輝度分布をおおざっぱに均一化するとともに、ライトガイド２を拡散板３と反射面４とで挟むことにより、反射部23と透過部24との存在による輝度むらを緩和するから、輝度の均一化効果が高く、薄型にしても反射部23のパターンが目立つことがなく、反射部23のパターンを微細にしなくとも薄型化が可能になるという利点を有するのである。また、減光フィルタを用いていないので、ランプ１の放射光の利用効率が高くなるという利点を有する。さらに、拡散反射を行なう反射部23と、透過部24に対��する反射面４と、拡散板３とにより３段階で輝度の均一化を図っているから、輝度の均一化効果が高く、かつ高効率が得られるという利点を有する。」（第３頁左下欄第６行〜右下欄第１行）旨が、第１〜７図とともに記載されている。
　そこで、先願発明と本件請求項１に係る発明と対比すると、前者は、後者における「側面から入射された光を伝播する透明な導光板と、該導光板の両面にそれぞれ当接する拡散板および反射板と、該導光板の側面に沿って配設された直管状光源とを有し、白色塗料を塗布している部分と塗布していない部分とが混在してなる光拡散層を、該塗料を塗布している部分の面積が該光源から離れるに従い大きくなるように、かつ、該光源と直交する方向の該塗料を塗布している部分間の隙間が、該光源から離れるに従い小さくなるように、該反射板が当接する該導光板の光拡散面に形成してなる」構成を有する面照明装置であると認められるが、拡散板が導光板の光出射面に当接する面が粗面をなしているという構成を具備するものであるとはいえない。
　そして、本件請求項１に係る発明は、その点により明細書に記載される、「光出射面11に当接する面が粗面をなす拡散板２は、光拡散層７において拡散され光出射面11から出射される光や、反射板６によって反射され光出射面11から出射される光によって反射され光出射面11から出射される光を、更に拡散することによって明るさが均一になるように作用する。」という効果を奏するものであるから、本件請求項１に係る発明が、先願発明と同一であるとすることはできない。
〔４〕むすび
　以上のとおりであるから、いずれの特許異議申立ての理由及び証拠によっても本件特許を取り消すことはできない。
　また、他に本件特許を取り消すべき理由を発見しない。
　よって、結論のとおり審決する。
【異議決定日】
平成１２年２月２日（２０００．２．２）
【訂正の要旨】
　特許権者が求めている訂正の内容は、以下のａ〜ｃのとおりである。
　ａ．特許請求の範囲に記載される「直管状光源（３）とを有し、」を「直管状光源（３）とを有し、該拡散板（２）は該導光板（１）の光出射面（１１）に当接する面が粗面をなしており、」と訂正する。
　ｂ．特許請求の範囲に記載される「白色染料」を「白色塗料」と訂正する。
　ｃ．発明の詳細な説明中の特許掲載公報第２欄第７行及び第４欄第２０行の「直管状光源とを有し、」を「直管状光源とを有し、該拡散板は該導光板の光出射面に当接する面が粗面をなしており、」と訂正する。
（５４）【発明の名称】
面照明装置
（５７）【特許請求の範囲】
　【請求項１】側面から入射された光を伝播する透明な導光板（１）と、該導光板（１）の両面にそれぞれ当接する拡散板（２）および反射板（６）と、該導光板（１）の側面に沿って配設された直管状光源（３）とを有し、
　該拡散板（２）は該導光板（１）の光出射面（１１）に当接する面が粗面をなしており、
　白色塗料を塗布している部分と塗布していない部分とが混在してなる光拡散層（７）を、該塗料を塗布している部分の面積が該光源（３）から離れるに従い大きくなるように、かつ、該光源（３）と直交する方向の該塗料を塗布している部分間の隙間が、該光源（３）から離れるに従い小さくなるように、該反射板（６）が当接する該導光板（１）の光拡散面（１２）に形成してなることを特徴とする面照明装置。
【発明の詳細な説明】
〔概要〕
　各種の表示装置に用いられるバックライト光源に関し、
　明るさの均一化と装置の薄型化を可能にする面照明装置の開発を目的とし、
　側面から入射された光を伝播する透明な導光板と、該導光板の両面にそれぞれ当接する拡散板および反射板と、該導光板の側面に沿って配設された直管状光源とを有し、該拡散板は該導光板の光出射面に当接する面が粗面をなしており、白色塗料を塗布している部分と塗布していない部分とが混在してなる光拡散層を、該塗料を塗布している部分の面積が該光源から離れるに従い大きくなるように、かつ、該光源と直交する方向の該塗料を塗布している部分間の隙間が、該光源から離れるに従い小さくなるように、該反射板が当接する該導光板の光拡散面に形成してなることを特徴とする面照明装置。
〔産業上の利用分野〕
　本発明は各種の表示装置に用いられるバックライト光源に係り、特に明るさの均一化と装置の薄型化を可能にする面照明装置に関する。
　液晶表示装置等における背景の色や明るさ等はバックライト光源に左右される。したがって表示装置のバックライト光源として用いられる面照明装置は、その表示装置に適した色調を自由に選択できると共に、出射面から出る光が均一で明るいことが要求される。しかも表示装置を薄型化するために面照明装置も薄くなければならない。
〔従来の技術〕
　第３図は従来の面照明装置を示す側断面図で、第３図（ａ）は間接照明型の装置、第３図（ｂ）は直接照明型の装置である。
　第３図に示す如く従来の間接照明型面照明装置は、光出射面および光拡散面１２が対向し側面から入射された光を伝播する透明な導光板１と、少なくとも導光板１の光出射面１１に当接する面が粗面をなす拡散板２と、導光板１の片方若しくは両方の側面に沿わせて配設された、例えば螢光ランプ等の直管状光源３とで構成されている。
　光源３から導光板１に反射した光は導光板１の内部を伝播され、光出射面１１に入射した光の入射角が光出射面１１における臨界角より大きければ、そこで全反射されて導光板１の内部を更に伝播される。また入射角が光出射面１１における臨界角より小さければ光は光出射面１１から出射される。
　一方導光板１の内部を伝播され光出射面１１と対向する光拡散面１２に入射した光は、光拡散面１２が粗面をなしているためそこで拡散され光出射面１１から外部に出射される。
　導光板１には光出射面１１に当接する面が粗面をなす拡散板２が当接しており、光出射面１１から外部に出射された光は拡散板２を透過する際に更に拡散される。その結果拡散板２の全面が光る面照明装置を形成することができる。
　また第３図（ｂ）に示す如く従来の直接照明型面照明装置は、例えば螢光ランプ等の直管状光源３がハウジング４内に設置されており、ハウジング４の上方には光量調節セル５が設けられている。
　光量調節セル５は第３図（ｃ）に示す如く透明フィルム５１に網目状のアルミ被膜５２が蒸着されており、光源３の真上では透明フィルム５１を透過する光の量が小さく、光源から離れるに従って透過する光の量が大きくなるように構成されている。
　光量調節セル５の上には更に拡散板２が設けられており、光量調節セル５を透過した光源３からの光は拡散板２によって拡散される。その結果拡散板２が一様に光る面照明装置を形成することができる。
〔発明が解決しようとする課題〕
　従来の間接照明型面照明装置は光源から導光板の側方にあり装置を薄型化できるが、疎密が適度に分布した粗面を光拡散面に形成することが極めて困難なため、一様な密度を有する粗面が光拡散面に形成されており、光源の近傍では多くの光が拡散されて拡散板が明るく光り、光源から離れるに従って拡散される光が少なくなって拡散板が暗くなるという問題があった。
　また従来の直接照明型面照明装置では適切な光量調節セルを組み込むことによって、光源からの距離に関係なく拡散板を一様に光らせることができるが、拡散板および光量調節セルの下方に光源が設置されるため、面照明装置を薄型化することができないという問題があった。
　本発明の目的は明るさの均一化と装置の薄型化を可能にする面照明装置の開発にある。
〔課題を解決するための手段〕
　第１図は本発明になる面照明装置を示す側断面図である。なお全図を通し同じ対象物は同一記号で表している。
　上記課題は側面から入射された光を伝播する透明な導光板と、該導光板の両面にそれぞれ当接する拡散板および反射板と、該導光板の側面に沿って配設された直管状光源とを有し、該拡散板は該導光板の光出射面に当接する面が粗面をなしており、白色塗料を塗布している部分と塗布していない部分とが混在してなる光拡散層を、該塗料を塗布している部分の面積が該光源から離れるに従い大きくなるように、かつ、該光源と直交する方向の該塗料を塗布している部分間の隙間が、該光源から離れるに従い小さくなるように、該反射板が当接する該導光板の光拡散面に形成してなる本発明の面照明装置によって達成される。
〔作用〕
　第１図において白色塗料を塗布している部分と塗布していない部分が混在してなる光拡散層を、塗料を塗布している部分の面積が光源から離れるに従い大きくなるように、かつ、光源と直交する方向の塗料を塗布している部分間の隙間が、光源から離れるに従い小さくなるように導光板の反射板が当接する光拡散面に形成することによって、光源から導光板の側面に光を入射させる間接照明型面照明装置において、光拡散層によって拡散される光の量が光源からの距離に関係なく一様になり、明るさの均一化の装置の薄型化を可能にする面照明装置を実現させることができる。
〔実施例〕
　以下第１図により本発明の実施例について説明する。なお第２図は光拡散層の構成例を示す平面図である。
　第１図において本発明になる面照明装置は側面から入射された光を伝播する透明な導光板１と、導光板１の両面にそれぞれ当接する拡散板２および反射板６と、導光板１の片方若しくは両方の側面に沿わせて配設された、例えば螢光ランプ等の直管状光源３とで構成されており、白色塗料を塗布している部分と塗布していない部分が混在してたる光拡散層７が、反射板６が当接する導光板１の光拡散面１２に形成されている。なお導光板１は無色透明な材料からなる板であっても、また螢光塗料が混入されてなる透明な材料からなる板であっても良い。
　かかる面照明装置において光拡散面に形成される光拡散層の一例は、第２図に示す如く光拡散面１２に白色塗料を塗布することによって、ピッチや巾が徐々に変化する縞模様７１が形成されており、塗料を塗布している部分の面積が光源から離れるに従い大きくなるように、かつ、光源と直交する方向の塗料を塗布している部分間の隙間が、光源から離れるに従い小さくなるように構成されている。
　本発明になる面照明装置は更に導光板１の光出射面１１に当接する拡散板２と、光拡散層７が形成された光拡散面１２に当接する反射板６を具えており、光拡散層７の塗料が塗布されていない部分から外部に漏れる光を、例えば表面が白く着色された反射板６により光出射面１１の方に反射している。
　また光出射面１１に当接する面が粗面をなす拡散板２は、光拡散層７において拡散され光出射面１１から出射される光や、反射板６によって反射され光出射面１１から出射される光を、更に拡散することによって明るさが均一になるように作用する。
　かかる面照明装置において光源３から導光板１に入射した光はその内部を伝播され、光出射面１１に入射した光の入射角が光出射面１１における臨界角より大きければ、そこで全反射されて導光板１の内部を更に伝播される。また入射角が光出射面１１における臨界角より小さければ光は光出射面１１から出射される。
　一方導光板１の内部を伝播され光拡散面１２に入射した光は、そこに光拡散層７の白色塗料を塗布している部分があると拡散されて、光拡散面１２と対向する光出射面１１から外部に出射される。また白色塗料を塗布していない光拡散面１２に入射した光は、入射した光の入射角が光拡散面１２における臨界角より大きければ、そこで全反射されて導光板１の内部を更に伝播される。更に入射した光の入射角が光拡散面１２における臨界角より小さければ外部に漏れる。
　しかるに光拡散層７は単位面積当たりの塗料塗布面積が、光源から離れるに従い大きくなるように構成されているため、光源３の近傍では光拡散層７によって拡散される光が少なく、光拡散面１２において全反射される導光板１の内部を更に伝播される光が多い。一方光源３から離れた部分では光拡散層７によって拡散される光が多く、光拡散面１２において全反射され導光板１の内部を更に伝播される光が少ない。
　その結果、光出射面１１から外部に出射される光の量が適当に制御されて、拡散板２の全面が光源からの距離に関係なく一様に光る面照明装置が形成される。なお光出射面１１から外部に出射される光は光拡散層７において拡散された光に、塗料が塗布されていない部分から外部に漏れ反射板６により反射される光が加算されるが、予めそれを想定して光拡散層を形成することによってその影響を無視することができる。
　このように白色塗料を塗布している部分と塗布していない部分が混在してなる光拡散層を、塗料を塗布している部分の面積が光源から離れるに従い大きくなるように、かつ、光源と直交する方向の塗料を塗布している部分間の隙間が、光源から離れるに従い小さくなるように、導光板の反射板が当接する光拡散面に形成することによって、光源から導光板の側面に光を入射させる間接照明型照明装置において、光拡散層によって拡散される光の量が光源からの距離に関係なく一様になり、明るさの均一化と装置の薄型化を可能にする面照明装置を実現させることができる。
〔発明の効果〕
　上述の如く本発明によれば明るさの均一化と装置の薄型化を可能にする面照明装置を提供することができる。
【図面の簡単な説明】
第１図は本発明になる面照明装置を示す側断面図、
第２図は光拡散層の構成例を示す平面図、
第３図は従来の面照明装置を示す側断面図、
である。図において
１は導光板、２は拡散板、
３は直管状光源、６は反射板、
７は光拡散層、１１は光出射面、
１２は光拡散面、７１は縞模様、
７２は図形、
をそれぞれ表す。